(57)【要約】【課題】美観に優れると共に、汎用性が高くて製造コストを低減し易い屋根構造を提供すること。【解決手段】屋根構造１の上側けらば巴材１０が、屋根の妻側で棟側から軒側に水平方向に対して斜め下側に傾斜するように延在して棟側で接触する２つのけらば２,３に関して、一方のけらば２の端面の少なくとも一部を構成する一方側部分を含むようにする。上側けらば巴材１０が、他方のけらば３の端面の少なくとも一部を構成する他方側部分を含むようにする。上側けらば巴材１０が、屋根の勾配に対応するように一方側部分と他方側部分の傾斜角度を調整できるようにする。屋根構造１が、一方側部分と他方側部分との間を外側から被覆する上側カバー材５０を更に備えるようにする。【選択図】図１
2020033720.tif 000002
【特許請求の範囲】
【請求項１】
屋根の妻側で棟側から軒側に水平方向に対して斜め下側に傾斜するように延在して棟側で接触する２つのけらばに関して、一方の前記けらばの端面の少なくとも一部を構成する一方側部分、及び他方の前記けらばの端面の少なくとも一部を構成する他方側部分を含み、前記屋根の勾配に対応するように前記一方側部分と前記他方側部分の傾斜角度を調整できるけらば巴材と、
前記一方側部分と前記他方側部分との間を外側から被覆するカバー材と、を備える屋根構造。
【請求項２】
前記カバー材が、高さ方向に伸縮可能な蛇腹構造を有する、請求項１に記載の屋根構造。
【請求項３】
前記一方側部分が前記一方のけらばの延在方向に延在する凹部を有すると共に、前記他方側部分が前記他方のけらばの延在方向に延在する凹部を有し、
前記カバー材は、前記一方側部分の前記凹部における前記棟側の一部と前記他方側部分の前記凹部における前記棟側の一部とに嵌り込む凸部と、凸部の裏側に設けられて外側から視認可能な凹部とを有し、
前記カバー材の前記凹部の上側を画定する上面が、略平面となっている一方、前記カバー材の凹部の下側を画定する下面が、上に凸の山型形状となっている、請求項１又は２に記載の屋根構造。
【請求項４】
水平方向から見たときに上側の一部が前記けらば巴材に重なると共に、前記一方のけらばの前記端面の少なくとも一部を構成するように、前記けらば巴材の下側かつ内側に配置される第１下側けらば巴材と、
水平方向から見たときに上側の一部が前記けらば巴材に重なると共に、前記他方のけらばの前記端面の少なくとも一部を構成するように、前記けらば巴材の下側かつ内側に配置される第２下側けらば巴材と、
水平方向から見たときに上側の一部が前記カバー材に重なると共に、前記第１下側けらば巴材と前記第２下側けらば巴材との隙間を覆うように、前記カバー材の下側かつ内側に配置される下側カバー材と、
を備える請求項１乃至３のいずれか１つに記載の屋根構造。
【発明の詳細な説明】
【技術分野】
【０００１】
本開示は、屋根構造に関する。
【背景技術】
【０００２】
従来、屋根構造としては、特許文献１に記載されているものがある。この屋根構造は、切妻構造を有する屋根本体と、屋根本体における２つのけらばの棟側の接触部の上側を覆うように配置される化粧カバーを備える。この化粧カバーは、けらばの接触部付近の山型の上面に略一致してその上面上に配置される山型の下面を有する。この屋根構造は、一方のけらばに配置される一方側破風板と他方のけらばに配置される他方側破風板との接合部の上側を化粧カバーで覆っているので、屋根構造の美観を良好なものにできる。
【先行技術文献】
【特許文献】
【０００３】
【特許文献１】実開昭５８−１１１７３１号公報
【発明の概要】
【発明が解決しようとする課題】
【０００４】
上記屋根構造では、化粧カバーの下面における山型形状の勾配が、設置される屋根の勾配に一対一に対応する。よって、化粧カバーを屋根毎に形成しなければならず、化粧カバーの汎用性が低い。
【０００５】
そこで、本開示の目的は、美観に優れるだけでなく、勾配が異なる２以上の屋根で、２つのけらばの棟側の接触部を含む領域に設置できて汎用性が高く、製造コストを低減し易い屋根構造を提供することにある。
【課題を解決するための手段】
【０００６】
上記課題を解決するため、本開示に係る屋根構造は、屋根の妻側で棟側から軒側に水平方向に対して斜め下側に傾斜するように延在して棟側で接触する２つのけらばに関して、一方のけらばの端面の少なくとも一部を構成する一方側部分、及び他方のけらばの端面の少なくとも一部を構成する他方側部分を含み、屋根の勾配に対応するように一方側部分と他方側部分の傾斜角度を調整できるけらば巴材と、一方側部分と他方側部分との間を外側から被覆するカバー材と、を備える。
【０００７】
なお、カバー材が一方側部分と他方側部分との間の全てを外側から被覆している状態が、「一方側部分と他方側部分との間を外側から被覆する」との文言に該当するのは勿論のこと、カバー材が一方側部分と他方側部分との間の一部のみを外側から被覆している状態も、上記文言に該当するものとする。また、本開示の屋根構造は、例えば、切妻屋根、入母屋屋根、越し屋根、又は差し掛け屋根等で採用することができる。
【発明の効果】
【０００８】
本開示によれば、美観に優れると共に、汎用性が高くて製造コストを低減し易い屋根構造を実現できる。
【図面の簡単な説明】
【０００９】
【図１】家屋の上側を示す斜視図であり、本開示の一実施形態に係る屋根構造の一部を示す斜視図である。
【図２】上記屋根構造において屋根本体を除いた部分の分解斜視図である。
【図３】最も急勾配の屋根に設置された上記部分の斜視図である。
【図４】図３のＤ−Ｄ線断面図である。
【図５】図３のＥ−Ｅ線断面図であり、２つのけらばの交線と屋根構造の高さ方向を含む平面における断面図である。
【図６】上記屋根構造の上側カバー材の斜視図である。
【図７】上記上側カバー材の切断について説明するための図である。
【図８】上側けらば巴材、第１下側けらば巴材、第２下側けらば巴材、上側カバー材、及び下側カバー材で構成されるアッセンブリが、緩勾配の屋根に設置されているときの状態を示す斜視図である。
【図９】上記アッセンブリが、急勾配の屋根に設置されているときの状態を示す斜視図である。
【図１０】上記アッセンブリが、破風板寸法が小さい屋根に設置されているときの状態を示す斜視図である。
【図１１】上記上側けらば巴材の蛇腹構造のバリエーションを説明する模式断面図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。
【００１１】
図１は、家屋の上側を示す斜視図であり、本開示の一実施形態に係る屋根構造１の一部を示す斜視図である。図１に示すように、屋根構造１は、棟の延在方向の一方側端部に切妻構造を有して、棟側で接触する２つのけらば２,３を有し、各けらば２,３は、屋根構造１の妻側で棟側から軒側に水平方向に対して斜め下側に傾斜するように延在する。屋根構造１は、その２つのけらばの棟側の接触部４を含む領域に配置され、屋根本体５、上側けらば巴材１０、第１下側けらば巴材３０、第２下側けらば巴材４０、上側カバー材５０、及び下側カバー材７０を備える。
【００１２】
屋根本体５は、公知の如何なる構造で構成されてもよく、例えば、野地板、アスファルトルーフィング、及び葺き板を含む。屋根本体５は、妻壁８よりも外側に突出する突出部を有する。突出部の外側の先端には、一方のけらばの延在方向に延在する一方側端面、及び他方のけらばの延在方向に延在する他方側端面が存在する。
【００１３】
図１に示すように、上側けらば巴材１０は、一方のけらばと他方のけらばに跨って設置され、一方側端面の上側端部の少なくとも一部と他方端面の上側端部の少なくとも一部を外側から被覆するように上記突出部の先端側に取り付けられる。また、第１下側けらば巴材３０は、一方側端面の棟側領域における下側端部の少なくとも一部を外側から被覆するように上記突出部の先端側に取り付けられる。また、第２下側けらば巴材４０は、他方側端面の棟側領域における下側端部の少なくとも一部を外側から被覆するように上記突出部の先端側に取り付けられる。
【００１４】
上側カバー材５０は、一方のけらば２と他方のけらば３の接触部４に高さ方向に延在するように設置され、その接触部４の上側を構成する。上側カバー材５０は、設置される高さ範囲において上側けらば巴材１０と相俟って屋根本体５の先端側の外側端面が視認できないようその外側端面を隙間なく覆う。
【００１５】
下側カバー材７０は、一方のけらば２と他方のけらば３の接触部４に高さ方向に延在するように設置され、その接触部４の下側を構成する。下側カバー材７０は、その上端部が水平方向から見たとき上側カバー材５０に重なるように設置され、上側カバー材５０よりも屋根本体５側（内側）に配置される。下側カバー材７０は、設置される高さ範囲において第１及び第２下側けらば巴材３０,４０と相俟って屋根本体５の先端側の外側端面が視認できないようその外側端面を隙間なく覆う。
【００１６】
次に、屋根構造１の設置手順について図２乃至図５を用いて説明する。図２は、屋根構造１において屋根本体５を除いた部分の分解斜視図であり、図３は、最も急勾配の屋根に設置された当該部分の斜視図であり、図４は、図３のＤ−Ｄ線断面図である。また、図５は、図３のＥ−Ｅ線断面図であり、２つのけらば２,３の交線と屋根構造１の高さ方向を含む平面における断面図である。
【００１７】
図２を参照して、先ず、第１下側けらば巴材３０を、屋根本体５の一方側端面の棟側領域における下側端部に設置する。第１下側けらば巴材３０は、高さ方向と奥行方向を含む断面において断面略Ｌ字状の位置決め部３１を下側端部に有する。位置決め部３１は、屋根本体５の底面に略平行に延在する第１延在部３１ａと、その内側端部から高さ方向上側に延在する第２延在部３１ｂを含む。
【００１８】
例えば、第２延在部３１ｂの上端を、屋根本体５の下面に接触させ、第１下側けらば巴材３０の内面における上側部分を、屋根本体５の一方側端面に接触させる。また、第１下側けらば巴材３０の第２下側けらば巴材４０側の上側角部を、一方のけらばと他方のけらばとの接触部に位置させる。この状態で、第１下側けらば巴材３０を、例えば、屋根本体５の一方側端面に釘やねじで固定する。
【００１９】
続いて、第２下側けらば巴材４０を、屋根本体５の他方側端面の棟側領域における下側端部に設置する。第２下側けらば巴材４０は、高さ方向と奥行方向を含む断面において断面略Ｌ字状の位置決め部４１を下側端部に有する。位置決め部４１は、屋根本体５の底面に略平行に延在する第１延在部４１ａと、その内側端部から高さ方向上側に延在する第２延在部４１ｂを含む。
【００２０】
例えば、第２延在部４１ｂの上端を、屋根本体５の下面に接触させ、第２下側けらば巴材４０の内面における上側部分を、屋根本体５の他方側端面に接触させる。また、第２下側けらば巴材４０の第１下側けらば巴材３０側の上側角部を、一方のけらばと他方のけらばとの接触部に位置させる。この状態で、第２下側けらば巴材４０を、例えば、屋根本体５の他方側端面に釘やねじで固定する。
【００２１】
第１下側けらば巴材３０と、第２下側けらば巴材４０は、屋根構造１の設置が想定される屋根のうちで最も急な勾配を有する急勾配屋根において、側面同士が隣接するように形成されている。よって、屋根の勾配が、急勾配屋根よりも緩い場合、図２に示すように、略三角形状の隙間６が、第１下側けらば巴材３０と第２下側けらば巴材４０との間に生じる。
【００２２】
続いて、上側けらば巴材１０を、一方のけらば２（図１参照）と他方のけらば３に跨るように両けらばの上側周辺に設置する。詳しくは、上側けらば巴材１０は、一方のけらばに設置される一方側設置部１１と他方のけらばに設置される他方側設置部１２を含み、一方側設置部１１と他方側設置部１２は、上面がつながっている。また、その上面には、上側けらば巴材１０が屋根本体５に設置された状態で、棟の延在方向に略延在する折目線１４が存在する。折目線１４で折り曲げる角度を適宜調整することで、一方側設置部１１に対する他方側設置部１２の傾斜角度を調整できるようになっている。
【００２３】
上側けらば巴材１０の一方側設置部１１は、上側端部に断面略Ｌ字状の位置決め部１５を有し、位置決め部１５は、屋根本体５の上面に略平行に延在する第１延在部１５ａと、その内側端部から高さ方向下側に延在する第２延在部１５ｂを含む。また、上側けらば巴材１０の他方側設置部１２は、上側端部に断面略Ｌ字状の位置決め部１６を有し、位置決め部１６は、屋根本体５の上面に略平行に延在する第１延在部１６ａと、その内側端部から高さ方向下側に延在する第２延在部（図示せず）を含む。
【００２４】
例えば、第２延在部１５ｂの上端を、屋根本体５の上面に接触させ、一方側設置部１１において最も内側に位置する内面部１８を屋根本体５の一方側端面に接触させる。また、他方側設置部１２の第２延在部の上端を、屋根本体５の上面に接触させ、他方側設置部１２において最も内側に位置する内面部１９を屋根本体５の他方側端面に接触させる。また、折目線１４を、一方のけらば２と他方のけらば３の接触部４に略一致させる。この状態で、一方側設置部１１を、例えば、屋根本体５の一方側端面に釘やねじで固定し、他方側設置部１２を、屋根本体５の他方側端面に釘やねじで固定する。図４及び図５に示すように、第１下側けらば巴材３０、第２下側けらば巴材４０、及び上側けらば巴材１０が設置された状態で、上側けらば巴材１０は、第１及び第２下側けらば巴材３０,４０の外側に配置される。また、その状態で、図５に矢印Ｆで示す水平方向から見たとき、上側けらば巴材１０の下側端部は、第１下側けらば巴材３０の上側端部と第２下側けらば巴材４０の上側端部に重なる。
【００２５】
一方側設置部１１と他方側設置部１２の境界における上側端部以外の接合部は、屋根構造１の設置が想定される屋根のうちで最も急な勾配を有する屋根に合わせて切除されている。その結果、最も急な勾配を有する屋根に屋根構造１を採用する場合、上側けらば巴材１０が屋根本体５に設置された状態で、一方側設置部１１の他方側設置部１２側の側面が、他方側設置部１２の一方側設置部１１側の側面に接触する。また、それより緩い勾配を有する屋根に屋根構造１を採用する場合、図２に示すように、略三角形状の隙間７が、一方側設置部１１の他方側設置部１２側の側面と他方側設置部１２の一方側設置部１１側の側面との間に生じる。
【００２６】
続いて、下側カバー材７０を設置する。下側カバー材７０は図２に矢印Ｂで示す方向に移動され、屋根構造１における２つのけらば２,３の接触部下側に配置される。上述のように、屋根の勾配が、急勾配屋根よりも緩い場合、略三角形状の隙間６が、第１下側けらば巴材３０と第２下側けらば巴材４０との間に生じる。図２及び図５に示すように、略三角形状の隙間６の上側部分は、上側けらば巴材１０の下側端部で塞がれる。また、水平方向から見たとき、下側カバー材７０の上側端部が上側けらば巴材１０の下側に重なる。また、水平方向から見たとき、下側カバー材７０が、その一方側方部が第１下側けらば巴材３０の第２下側けらば巴材４０側の端部に重なると共に、その他方側方部が第２下側けらば巴材４０の第１下側けらば巴材３０側の端部に重なる。この状態で、例えば、下側カバー材７０を、釘やねじで第１及び第２下側けらば巴材３０,４０に固定する。下側カバー材７０は、上側けらば巴材１０と第１及び第２下側けらば巴材３０,４０の外側に配置される。
【００２７】
最後に、上側カバー材５０を設置する。上側カバー材５０は図２に矢印Ｃで示す方向に移動され、屋根構造１における２つのけらば２,３の接触部上側に配置される。上述のように、急勾配屋根よりも緩い勾配を有する屋根に屋根構造１を採用する場合、略三角形状の隙間７が、一方側設置部１１の他方側設置部１２側の側面と他方側設置部１２の一方側設置部１１側の側面との間に生じる。図２及び図５に示すように、その略三角形状の隙間７の下側部分は、下側カバー材７０の上側端部で塞がれる。また、図２及び図５を参照して、水平方向から見たとき、上側カバー材５０を、その下側端部が下側カバー材７０の上側端部に重なるように配置する。また、水平方向から見たとき、上側カバー材５０を、その一方側方部が一方側設置部１１の他方側設置部１２側の端部に重なると共に、その他方側方部が他方側設置部１２の一方側設置部１１側の端部に重なるように配置する。
【００２８】
後で詳述するが、上側カバー材５０は、一方側設置部１１と他方側設置部１２の傾斜角度に一致する傾斜角度に調整できる折目線５８を有する天面部５２を有する。上側カバー材５０の天面部５２を、上から見たときに、その折目線５８が上側けらば巴材１０の折目線１４に重なるように、上側けらば巴材１０の上面上に配置する。
【００２９】
この状態で、例えば、上側カバー材５０を、釘やねじで一方及び他方側設置部１１,１２に固定する。上側カバー材５０は、第１及び第２下側けらば巴材３０,４０、上側けらば巴材１０、及び下側カバー材７０よりも外側に配置される。この上側カバー材５０の固定により、家屋に対する屋根構造１の取付が完了する。なお、上側カバー材５０と上側けらば巴材１０との隙間には、合成樹脂や合成ゴム製のペーストを充填すると好ましく、このシーリングによって防水を行うと好ましい。
【００３０】
次に、上側カバー材５０についてより詳細な説明を行う。上側カバー材５０は、樹脂で構成されてもよいが、金属で構成されると好ましく、折り曲げや切削が容易な金属、例えば、鋼材、アルムニウム、又はステンレス等で構成されるとより好ましい。図６は、上側カバー材５０の斜視図である。図６に示すように、上側カバー材５０は、本体５１と、天面部５２を備え、本体５１は、上側板部５４、溝部５５、下側板部５６、下側屈曲部５７を有する。
【００３１】
上側板部５４は、平面視が略矩形の形状を有する元材を、その上側縁の中央から幅方向両側に幅方向の中央から外側に行くにしたがって下方側に移動するように斜め下方に山型にカットすることで形成される。このカットは、例えば、図６に示す点線６１,６２に沿って実行され、カットが実行された後のカット面は、上側カバー材５０の高さ方向に対して傾斜する。上記カットは、上記高さ方向に対するカット面の傾斜角度が屋根の勾配に略一致するように実行される。
【００３２】
天面部５２は、略矩形の平面形状を有し、長手方向の中央部に幅方向に延在する折目線５８を有すると好ましい。天面部５２の長手方向に延在する縁部のうちで折目線５８に接触する折目線接触部５９は、上側板部５４の上側縁の中央部に繋がっている。その結果、上側板部５４の元材を、上述のように山型にカットしてカット面を形成した後、天面部５２をカット面に沿うように折り返すことが可能になり、折目線５８を境にして天面部５２を屋根の勾配に沿うように延在させることができる。よって、屋根本体５が如何なる角度の勾配であっても、上側カバー材５０を屋根本体５の棟部周辺に密着配置でき、屋根構造１を美観に優れたものにできる。
【００３３】
溝部５５は、例えば、略帯状の平板における長手方向の端部以外の中間部を厚さ方向の一方側に折り曲げることで形成され、平板の厚さ方向の他方側と幅方向の両側に開口する。また、下側屈曲部５７は、例えば、略帯状の平板における長手方向の蓋側と反対側の端部を厚さ方向の一方側にＬ字状に折り曲げることで形成される。また、下側板部５６は、高さ方向の溝部５５と下側屈曲部５７の間に形成される。下側板部５６は、溝部５５の底や下側屈曲部５７の高さ方向に延在する面よりも厚さ方向の他方側に位置する。
【００３４】
図２に示すように、一方側設置部１１において一方のけらばの端面の一部を構成する一方側部分１１ａは、一方のけらばの延在方向に延在する凹部２１を有する。また、他方側設置部１２において一方のけらばの端面の一部を構成する他方側部分１２ａは、他方のけらばの延在方向に延在する凹部２２を有する。また、一方側部分１１ａは、高さ方向下側に一方のけらばの延在方向に延在するＬ字状の屈曲部２５を有し、他方側部分１２ａは、高さ方向下側に他方のけらばの延在方向に延在するＬ字状の屈曲部２６を有する。凹部２１や屈曲部２５は、一方側設置部１１の剛性を大きくする目的等のために設けられ、凹部２２や屈曲部２６は、他方側設置部１２の剛性を大きくする目的等のために設けられる。
【００３５】
また、溝部５５の裏側に形成される凸部６５（図６参照）は、一方側部分１１ａの凹部２１における棟側の一部と他方側部分１２ａの凹部２２における棟側の一部とに嵌り込む。また、下側屈曲部５７（図６参照）は、一方側部分１１ａのＬ字状の屈曲部２５の一部と他方側部分１２ａのＬ字状の屈曲部２６の一部に嵌り込む。また、図６に示すように、溝部５５の上側を画定する上面は、略平面となっており、溝部５５の下側を画定する下面は、上に凸の山型形状となっている。溝部５５は、凸部６５の裏面に設けられて外側から視認可能な凹部を構成する。
【００３６】
上側板部５４、溝部５５、及び下側板部５６の夫々は、高さ方向に延在する面５４ａ,５５ａ,５６ａに凹凸を有する。その凹凸は、例えば、高さ方向に延在する平面部を、高さ方向の所定間隔毎に厚さ方向の一方側に溝を形成するように折り曲げることで形成される。よって、厚さ方向一方側から見たとき凸部が形成される箇所には、厚さ方向他方側から見たとき凹部が形成され、厚さ方向一方側から見たとき凹部が形成される箇所には、厚さ方向他方側から見たとき凸部が形成される。
【００３７】
なお、本実施例では、凹凸構造における凸部及び凹部は、折れ線形状を有し、帯状の平板を幅方向に略二等分する二等分線を境に略左右対称に形成される。詳しくは、その二等分線を境にした両側で、凸部及び凹部は、幅方向にその二等分線から離れるにしたがって高さ方向の下側に直線状に延在する。しかし、凹凸構造における凸部及び凹部が描く折れ線は、帯状の平板を幅方向に略二等分する二等分線を境に左右対称に形成されなくてもよい。又は、凹凸構造における凸部及び凹部は、折れ線形状を有さなくてもよく、例えば、高さ方向に略直交する直交方向に幅方向の一端から他端まで直線状に延在してもよい。
【００３８】
上側板部５４、溝部５５、及び下側板部５６の夫々における高さ方向に延在する面５４ａ,５５ａ,５６ａに形成される凹凸構造は、上側カバー材５０を矢印Ｇで示す高さ方向に伸縮可能にする。すなわち、上側カバー材５０の高さ方向両側を引っ張ることで、凹凸構造をその厚さが小さくなるように変形させることができ、その結果、凹凸構造を高さ方向に延ばすことができる。よって、上側カバー材５０を、高さ方向に伸長させることができる。他方、上側カバー材５０の高さ方向両側に圧縮方向の力を加えることで、凹凸構造をその厚さが大きくなるように変形させることができ、その結果、凹凸構造を高さ方向に縮めることができる。よって、上側カバー材５０を、高さ方向に縮めることができる。上側板部５４、溝部５５、及び下側板部５６の夫々における高さ方向に延在する面５４ａ,５５ａ,５６ａに形成される凹凸構造は、上側カバー材５０が高さ方向に伸縮可能となる蛇腹構造を構成する。
【００３９】
凹凸構造の段差は、如何なる長さに設定されてもよいが、１ｃｍ以下に設定されると好ましく、２ｍｍ程度、より詳しくは、１ｍｍ以上３ｍｍ以下の範囲に設定されるとより好ましい。また、上側カバー材５０は、鋳造で形成されてもよいが、一体の金属製の平板をプレス成形で製造すると好ましく、この場合、上側カバー材５０を簡単安価に形成できる。
【００４０】
再度、上側板部５４の元材のカットについて言及すると、上述のように、上側板部５４は、所定間隔毎に凸部を有する。したがって、凸部を上側板部５４のカットの目印にできる。詳しくは、例えば、図７に示すように、上側板部５４の切断面の幅方向の上端を決定するのに、矢印Ｈ１で示すように、上から１つ目の凸部６４ａの下側角部を目印にできる。又は、上側板部５４の切断面の幅方向の上端を決定するのに、矢印Ｈ２に示すように、上から２つ目の凸部６４ｂの下側角部を目印にでき、又は矢印Ｈ３に示すように、上から３つ目の凸部６４ｃの上側角部を目印にできる。よって、凹凸構造を形成することにより、上側カバー材５０の伸縮が可能になるだけでなく、上側板部５４の元材のカットも容易かつ正確に実行できる。
【００４１】
以上、屋根構造１の上側けらば巴材１０は、屋根の妻側で棟側から軒側に水平方向に対して斜め下側に傾斜するように延在して棟側で接触する２つのけらば２,３に関して、一方のけらば２の端面の少なくとも一部を構成する一方側部分１１ａを含む。また、上側けらば巴材１０は、他方のけらば３の端面の少なくとも一部を構成する他方側部分１２ａを含む。また、上側けらば巴材１０は、屋根の勾配に対応するように一方側部分１１ａと他方側部分１２ａの傾斜角度を調整できる。また、屋根構造１は、一方側部分１１ａと他方側部分１２ａとの間を外側から被覆する上側カバー材５０を更に備える。
【００４２】
したがって、上側けらば巴材１０を、勾配が異なる複数の屋根に設置でき、例えば、図８に示すように緩勾配の屋根に設置できるだけでなく、図９に示すように急勾配の屋根にも設置できる。よって、上側けらば巴材１０の汎用性を高くでき、上側けらば巴材１０を量産し易く、屋根構造１の製造コストを低減し易い。更には、上側カバー材５０で一方側部分１１ａと他方側部分１２ａとの間を外側から被覆できる。その結果、勾配が緩くなって、一方側部分と他方側部分との間の隙間が大きくなっても、屋根本体５の端面が外部に露出することを防止でき、屋根構造１を、美観に優れるものにできる。
【００４３】
また、上側カバー材５０が、高さ方向に伸縮可能な蛇腹構造を有してもよい。
【００４４】
本構成によれば、上側カバー材５０の伸縮によって、水平方向から見たときに、溝部５５を一方側部分１１ａの凹部２１における棟側の一部と他方側部分１２ａの凹部２２に重なる位置に位置合わせし易くなり、溝部５５の高さ方向の微調整を実行し易くなる。
【００４５】
更には、本開示の屋根構造では、下側カバー材７０を省略してもよく、一方のけらばと他方のけらばの接触部周辺を、上で説明した上側カバー材５０と同様な構成を有するカバー材で屋根本体の上端から下端まで覆ってもよい。この場合、カバー材を適切に伸縮にさせることで、カバー材を異なる破風板寸法（図１に矢印Ａで示す寸法）を有する屋根本体に設置できる。
【００４６】
また、一方側部分１１ａが一方のけらば２の延在方向に延在する凹部２１を有すると共に、他方側部分１２ａが他方のけらば３の延在方向に延在する凹部２２を有してもよい。また、上側カバー材５０は、一方側部分１１ａの凹部２１における棟側の一部と他方側部分１２ａの凹部２２における棟側の一部とに嵌り込む凸部６５と、凸部６５の裏側に設けられて外側から視認可能な溝部（凹部）５５とを有してもよい。また、上側カバー材５０の溝部５５の上側を画定する上面６７が、略平面となっている一方、上側カバー材５０の溝部５５の下側を画定する下面６８が、上に凸の山型形状となっていてもよい。
【００４７】
上側カバー材の凹部の上側を画定する上面を、下面と同様に上に凸の山型形状した場合、凹部の上面の山型を、緩勾配の屋根に一致するように設定すると、凹部の上面を急勾配の屋根における一方及び他方側部分の凹部に嵌めることができなくなる。他方、凹部の上面の山型を、急勾配の屋根に一致するように設定すると、一方及び他方側部分の凹部と、上側カバー材の凹部の裏側にある凸部との隙間が大きくなり、防水を効果的に実行しにくくなる。
【００４８】
これに対し、本構成によれば、上側カバー材５０の溝部５５の上側を画定する上面６７が、略平面となっている。したがって、溝部５５の上面６７を屋根の勾配に無関係に屋根における一方及び他方側部分１１ａ,１２ａの凹部２１,２２に確実に嵌め込むことができるだけでなく、一方及び他方側部分１１ａ,１２ａの凹部２１,２２と上側カバー材５０の溝部５５の裏側にある凸部６５との隙間を低減でき、防水を効果的に実行できる。
【００４９】
また、屋根構造１が、水平方向から見たときに上側の一部が上側けらば巴材１０に重なると共に一方のけらば２の端面の少なくとも一部を構成するように、上側けらば巴材１０の下側かつ内側に配置される第１下側けらば巴材３０を備えてもよい。また、屋根構造１が、水平方向から見たときに上側の一部が上側けらば巴材１０に重なると共に他方のけらば３の端面の少なくとも一部を構成するように、上側けらば巴材１０の下側かつ内側に配置される第２下側けらば巴材４０を備えてもよい。また、屋根構造１が、水平方向から見たときに上側の一部が上側カバー材５０に重なる下側カバー材７０を備えてもよい。そして、下側カバー材７０が、第１下側けらば巴材３０と第２下側けらば巴材４０との隙間を覆うように、上側カバー材５０の下側かつ内側に配置されてもよい。
【００５０】
本構成によれば、上側けらば巴材１０と、第１及び第２下側けらば巴材３０,４０との間に高さ方向に重なる重ね代を設定でき、この重ね代を調整できる。また、上側カバー材５０と、下側カバー材７０との間にも高さ方向に重なる重ね代を設定でき、この重ね代も調整できる。したがって、上側けらば巴材１０、第１及び第２下側けらば巴材３０,４０、上側カバー材５０、及び下側カバー材７０を、図１に矢印Ａで示す破風板寸法が異なる複数の屋根本体５に設置でき、例えば、上記２つの重ね代を大きくすることで、図１０に示す破風板寸法（図１,図１０に矢印Ａで示す寸法）が小さい屋根にも設置できる。よって、上側けらば巴材１０、第１及び第２下側けらば巴材３０,４０、上側カバー材５０、及び下側カバー材７０の汎用性を更に高いものにでき、その結果、それらの材１０,３０,４０,５０,７０を量産でき、屋根構造１の製造コストを更に低減できる。
【００５１】
なお、本開示は、上記実施形態およびその変形例に限定されるものではなく、本願の特許請求の範囲に記載された事項およびその均等な範囲において種々の改良や変更が可能である。
【００５２】
例えば、上記実施形態では、上側カバー材５０が、高さ方向に伸縮可能な蛇腹構造を有する場合について説明した。ここで、上側カバー材５０の高さ方向と奥行方向を含む断面での、凹凸形状を有する蛇腹構造の断面形状は、図１１（ａ）に示すように、矩形の枠状凸部を、厚さ方向の一方側と他方側に交互に配置してなる形状でもよい。又は、上側カバー材５０の高さ方向と奥行方向を含む断面での、凹凸形状を有する蛇腹構造の断面形状は、図１１（ｂ）に示すように、折れ線形状でもよく、図１１（ｃ）に示すように、波形状でもよい。又は、屋根構造が、上側カバー材と、下側カバー材を有し、上側カバー材と、下側カバー材の両方が、蛇腹構造を有さなくてもよい。そして、上側カバー材と、下側カバー材の両方が、高さ方向に伸縮可能でなくてもよく、上側カバー材と下側カバー材の重ね代の寸法調整だけで、屋根構造の破風板寸法を調整してもよい。
【００５３】
また、一方のけらば２と他方のけらば３の交線上に上側カバー材５０と下側カバー材７０を配置する場合について説明した。しかし、上述のように、一方のけらばと他方のけらばの交線上に一つのみのカバー材を配置してもよい。また、この場合において、一つのみのカバー材は、蛇腹構造を有して、高さ方向の寸法を調整できてもよい。又は、一つのみのカバー材は、蛇腹構造を有さなくてもよい。
【００５４】
また、一方のけらば２の端面と他方のけらば３の端面を構成するのに、上側けらば巴材１０、第１下側けらば巴材３０、及び第２下側けらば巴材４０を用いた。しかし、一方のけらばの端面と他方のけらばの端面を構成するのに、上側けらば巴材と、一つのみの下側けらば巴材を用いてもよい。そして、その唯一の下側けらば巴材の構造を、上述の上側けらば巴材１０と同様の構造として、屋根の勾配に対応できる一方側部分と他方側部分を有する構造とし、一方側部分と他方側部分の傾斜角度を調整できるようにしてもよい。又は、屋根構造は、１つのみのけらば巴材を有してもよく、その唯一のけらば巴材の一方側部分と他方側部分の傾斜角度を調整できるようにしてもよい。
【符号の説明】
【００５５】
１  屋根構造、  ２  一方のけらば、  ３  他方のけらば、  １０  上側けらば巴材、  １１ａ  一方側部分、  １２ａ  他方側部分、  ２１  一方側部分の凹部、  ２２  他方側部分の凹部、  ３０  第１下側けらば巴材、  ４０  第２下側けらば巴材、  ５０  上側カバー材、  ５５  上側カバー材の溝部（凹部）、  ６５  上側カバー材の凸部、  ６７  溝部の上面、  ６８  溝部の下面、  ７０  下側カバー材。
【図１】
2020033720.tif 000003
【図２】
2020033720.tif 000004
【図３】
2020033720.tif 000005
【図４】
2020033720.tif 000006
【図５】
2020033720.tif 000007
【図６】
2020033720.tif 000008
【図７】
2020033720.tif 000009
【図８】
2020033720.tif 000010
【図９】
2020033720.tif 000011
【図１０】
2020033720.tif 000012
【図１１】
2020033720.tif 000013